(57)【要約】【課題】  記憶媒体内の全ての音声データを予め記憶させなくても、冒頭部分の音量が小さい楽曲をスキャン検索時に容易に特定させる。【解決手段】  この検索装置には、各種指示が入力される入力部と、多数の音声データを記憶した記憶媒体から音声データを取得するデータ取得部と、入力部からの入力指示に基づいて、データ取得部で取得した音声データを再生する再生制御部とが備えられている。再生制御部は、入力部からスキャン検索指示が入力されると、音声データにおける所定の条件を満たした個所から所定時間だけ再生を実行した後に、次曲の音声データに切り替わることを繰り返す。【選択図】図１
2007226906.tif 000002
【特許請求の範囲】
【請求項１】
各種指示が入力される入力部と、
多数の音声データを記憶した記憶媒体から音声データを取得するデータ取得部と、
前記入力部からの入力指示に基づいて、前記データ取得部で取得した音声データを再生する再生制御部とを備え、
前記再生制御部は、
前記入力部からスキャン検索指示が入力されると、前記音声データにおける所定の条件を満たした個所から所定時間だけ再生を実行した後に、次曲の音声データに切り替わることを繰り返すことを特徴とする検索装置。
【請求項２】
請求項１記載の検索装置において、
前記所定の条件には、予め設定された所定時間経過後であることが含まれていることを特徴とする検索装置。
【請求項３】
請求項１又は２記載の検索装置において、
前記所定の条件には、予め設定された所定の出力レベル以上であることが含まれていることを特徴とする検索装置。
【請求項４】
スキャン検索指示が入力される入力工程と、
多数の音声データを記憶した記憶媒体から音声データを取得するデータ取得工程と、
前記データ取得工程で取得した音声データを再生する再生工程と、
前記入力工程で入力されたスキャン検索指示に基づいて、前記音声データにおける所定の条件を満たした個所から所定時間だけ再生を実行した後に、次曲の音声データに切り替えることを繰り返すスキャン工程を有することを特徴とする検索方法。
【発明の詳細な説明】
【技術分野】
【０００１】
本発明は、検索装置及び検索方法に関する。
【背景技術】
【０００２】
近年、例えばオーディオ機器などの楽曲検索機能を有する検索装置では、記憶媒体内の音声データを検索するために１曲ずつ冒頭部分から所定時間だけ再生させた後に次曲に切り替わるということが繰り返されるスキャン検索が実行可能となっている。
【０００３】
例えば、記憶媒体がカセットテープ等のテープメディアである場合には、図４に示す工程でスキャン検索が実行される。
図４に示すように、ステップＳ１０１では、検索装置の制御部は、スキャンキーが押下されているか否かを判断し、押下されていない場合にはその状態で待機し、押下された場合にはステップＳ１０２に移行する。
【０００４】
ステップＳ１０２では、制御部はカセットテープに対するサーチを開始する。
ステップＳ１０３では、制御部は無音部分の検出有無を判断し、検出していない場合にはサーチを継続し、検出した場合にはステップＳ１０４に移行する。
【０００５】
ステップＳ１０４では、制御部は無音部分を所定時間継続して検出したか否かを判断し、所定時間検出していない場合にはステップＳ１０３に移行して、所定時間検出した場合にはステップＳ１０５に移行する。
【０００６】
ステップＳ１０５では、制御部はこの無音部分を曲間として認識する。
ステップＳ１０６では、制御部は有音部分の検出有無を判断し、検出していない場合にはサーチを継続し、検出した場合にはステップＳ１０７に移行する。
【０００７】
ステップＳ１０７では、制御部は再生を実行する。
ステップＳ１０８では、制御部は、再生を所定時間実行したか否かを判断し、所定時間経過していない場合には再生を継続して、経過した場合にはステップＳ１０２に移行する。
これにより、テープメディア内の音声データが１曲ずつ冒頭部分から所定時間だけ再生された後に次曲に切り替わるということが繰り返されるスキャン検索が実行される。
【０００８】
また、記憶媒体がＣＤやＭＤ等のディスクメディアである場合には、図５に示す工程でスキャン検索が実行される。
図５に示すように、ステップＳ２０１では、検索装置の制御部は、スキャンキーが押下されているか否かを判断し、押下されていない場合にはその状態で待機し、押下された場合にはステップＳ２０２に移行する。
【０００９】
ステップＳ２０２では、制御部はカウンタＮを０にリセットする。
ステップＳ２０３では、制御部はカウンタＮを１カウントアップする。
ステップＳ２０４では、制御部はＮ番目の曲の先頭へジャンプする。
【００１０】
ステップＳ２０５では、制御部はＮ番目の曲の再生を実行する。
ステップＳ２０６では、制御部は、再生を所定時間実行したか否かを判断し、所定時間経過していない場合には再生を継続して、経過した場合にはステップＳ２０３に移行する。
これにより、ディスクメディア内の音声データが１曲ずつ冒頭部分から所定時間だけ再生された後に次曲に切り替わるということが繰り返されるスキャン検索が実行される。
【００１１】
ところで、上述の検索装置であると、スキャン検索時には楽曲の先頭から所定時間だけ再生された後に次曲に切り替わるということが繰り返されるために、先頭から所定時間経過まで音量が小さい楽曲がスキャンされた場合には、何の曲が特定することが困難であった。
また、例えば特許文献１記載の情報再生装置では、予め記憶媒体内の全ての音声データの冒頭部分や、特徴部分、任意に選択された部分のいずれか１つを記憶部に記憶させておき、これらの部分を連続して再生することで、楽曲の検索が実行できるようになっている。特に、各楽曲の特徴部分が連続して再生されるように設定していれば、冒頭部分の音量が小さい楽曲であっても容易に何の曲であるかを特定することできる。
【特許文献１】特開２００２−１５０７５６号公報
【発明の開示】
【発明が解決しようとする課題】
【００１２】
ところで、特許文献１記載の情報再生装置であると、記憶媒体中の音声データを楽曲検索前に予め記憶しておかなければならないので、スキャン前に記憶する時間が必要となってしまい、迅速な検索が困難であった。
【００１３】
本発明の課題は、記憶媒体内の全ての音声データを予め記憶させなくても、冒頭部分の音量が小さい楽曲をスキャン検索時に容易に特定させることである。
【課題を解決するための手段】
【００１４】
請求項１記載の発明における検索装置は、
各種指示が入力される入力部と、
多数の音声データを記憶した記憶媒体から音声データを取得するデータ取得部と、
前記入力部からの入力指示に基づいて、前記データ取得部で取得した音声データを再生する再生制御部とを備え、
前記再生制御部は、
前記入力部からスキャン検索指示が入力されると、前記音声データにおける所定の条件を満たした個所から所定時間だけ再生を実行した後に、次曲の音声データに切り替わることを繰り返すことを特徴としている。
【００１５】
請求項２記載の発明は、請求項１記載の検索装置において、
前記所定の条件には、予め設定された所定時間経過後であることが含まれていることを特徴としている。
【００１６】
請求項３記載の発明は、請求項１又は２記載の検索装置において、
前記所定の条件には、予め設定された所定の出力レベル以上であることが含まれていることを特徴としている。
【００１７】
請求項４記載の発明における検索方法は、
スキャン検索指示が入力される入力工程と、
多数の音声データを記憶した記憶媒体から音声データを取得するデータ取得工程と、
前記データ取得工程で取得した音声データを再生する再生工程と、
前記入力工程で入力されたスキャン検索指示に基づいて、前記音声データにおける所定の条件を満たした個所から所定時間だけ再生を実行した後に、次曲の音声データに切り替えることを繰り返すスキャン工程を有することを特徴としている。
【発明の効果】
【００１８】
本発明によれば、スキャン検索時には、音声データにおける所定の条件を満たした個所から所定時間だけ再生が実行された後に次曲の音声データに切り替わり、これが繰り返されるので、スキャン検索前に記憶媒体内の全ての音声データを予め記憶させなくても、スキャン検索を実行することが可能となる。そして、スキャン検索時には音声データにおける所定の条件を満たした個所から所定時間だけ再生が実行されるので、予め音量の小さいところを回避するように所定の条件を設定しておけば、冒頭部分の音量が小さい楽曲であってもスキャン検索により容易に特定させることが可能となる。
【００１９】
ここで、所定の条件が、予め設定された所定時間経過後であると、冒頭部分がスキャン検索によって再生されてしまうことを確実に回避することができる。
また、所定の条件が、予め設定された所定の出力レベル以上であると、音量の小さい部分がスキャン検索によって再生されてしまうことを確実に回避することができる。
【発明を実施するための最良の形態】
【００２０】
以下、図面を参照しつつ、本発明に係る実施形態について説明する。図１は、本実施形態の検索装置としてのネットワークオーディオプレーヤ１がネットワークＮによりサーバＳに接続された状態を表すブロック図である。図１に示すように、ネットワークＮには、複数のネットワークオーディオプレーヤ１が接続されていて、これらをサーバＳが一元的に管理している。なお、本実施形態ではネットワークオーディオプレーヤ１が２台ネットワークＮに接続されている場合を例示し、これらのネットワークオーディオプレーヤ１は同じ構成とする。そして、以下の説明においては便宜上、主となるネットワークオーディオプレーヤ１に対しては符号「１Ａ」を付して、他のネットワークオーディオプレーヤ１に対しては符号「１Ｂ」を付す。
【００２１】
ネットワークオーディオプレーヤ１Ａには、多数の音声データを記憶する例えばＣＤやＭＤ、ＤＶＤ等のディスクメディアを読み込むディスクメディアドライブ２と、サーバＳ及びディスクメディアドライブ２に接続されて、当該サーバＳやディスクメディアドライブ２から音声データを取得するデータ取得部３と、各種指示が入力される入力部４と、各種情報が表示される表示部５と、入力部４からの入力指示に基づいて、データ取得部３で取得した音声データを再生する再生制御部６と、再生制御部６から入力された音声信号を増幅するアンプ７と、アンプ７により増幅された音声信号に基づいて音声を出力するスピーカ８とが設けられている。
【００２２】
サーバＳには、ＨＤＤ１０が内蔵されていて、当該ＨＤＤ１０には多数の音声データが記憶されている。
【００２３】
データ取得部３は、ディスクメディアドライブ２で読み取ったディスクメディア内の音声データを取得するとともに、ネットワークＮを介してサーバＳや他のネットワークオーディオプレーヤ１Ｂと通信することで、サーバＳのＨＤＤ１０内の音声データや、他のネットワークオーディオプレーヤ１Ｂ内のディスクメディアの音声データを取得するようになっている。
【００２４】
入力部４は、ネットワークオーディオプレーヤ１Ａ本体に設けられた操作キーや、リモコンに設けられた操作キーなどである。この入力部４からは、再生指示や、停止指示、早送り指示、早戻し指示、一時停止指示、再生元選択指示、スキャン検索指示、検索対象指定指示、スキャン検索条件指定指示などの入力指示が入力されるようになっている。ここで、スキャン検索とは、音声データの一部分のみを再生した後に次曲に切り替わることを繰り返すことで、再生された音声をユーザが視聴して所望の楽曲を特定する検索方式である。また、スキャン検索条件とは、スキャン検索を実行する際の所定の条件であり、この条件を音声データが満たした個所から所定時間（第１所定時間）だけ再生が実行されるのである。所定の条件には、例えば、予め設定されていた所定の出力レベル以上であることや、予め設定されていた所定時間（第２所定時間）経過後であることの少なくとも１つが含まれている。
【００２５】
表示部５は、入力部４からの各種指示内容や、選択中及び再生中の音声データに付帯したＩＤタグを基に楽曲情報（曲名、アーティスト名、アルバム名、演奏時間）等を表示するようになっている。
【００２６】
再生制御部６は、ＣＰＵ、ＲＯＭ、ＲＡＭなどから構成されていて、ＣＰＵがＲＯＭ内の制御プログラムを実行することで各部を制御するようになっている。再生制御部６には、データ取得部３で取得した音声データを、入力部４からの入力指示に基づいて再生する。
【００２７】
具体的に、入力部４から再生元選択指示としてネットワークオーディオプレーヤ１Ａのディスクメディアドライブ２が選択された後に再生指示が入力されると、再生制御部６はデータ取得部３を制御してディスクメディアドライブ２で読み取られた音声データを取得し、当該音声データを再生する。
【００２８】
また、入力部４から再生元選択指示としてサーバＳのＨＤＤ１０が選択された後に再生指示が入力されると、再生制御部６は、データ取得部３を介してサーバＳに再生コマンドを出力する。この再生コマンドを基にサーバＳは、ＨＤＤ１０に記憶されている音声データ群に対して再生を実行する。再生時においては、サーバＳは、音声データを再生しながら、本ネットワークオーディオプレーヤ１Ａに出力するストリーミング再生を実行する。この場合、本ネットワークオーディオプレーヤ１Ａの再生制御部６は、データ取得部３にサーバＳから順次ダウンロードされた再生中の音声データを、そのままアンプ７を介してスピーカ８に出力させるようになっている。
【００２９】
そして、入力部４から再生元選択指示として他のネットワークオーディオプレーヤ１Ｂのディスクメディアドライブ２が選択された後に再生指示が入力されると、再生制御部６は、データ取得部３を介してサーバＳに再生コマンドを出力する。この再生コマンドを基にサーバＳは、他のネットワークオーディオプレーヤ１Ｂのディスクメディアドライブ２で読み取られた音声データを取得し、当該音声データに対して再生を実行する。再生時においては、サーバＳは、上記したように音声データを再生しながら、本ネットワークオーディオプレーヤ１Ａに出力するストリーミング再生を実行する。
【００３０】
また、再生元選択指示や検索対象指定指示の入力後にスキャン検索指示が入力された場合には、再生制御部６は、各再生元の音声データ群や、検索対象となるフォルダ内の音声データ群を基にしてスキャン検索を実行する。
【００３１】
例えば、入力部４から再生元選択指示や検索対象指定指示としてネットワークオーディオプレーヤ１Ａのディスクメディアドライブ２が選択された後にスキャン検索指示が入力されると、再生制御部６はデータ取得部３を制御してディスクメディアドライブ２内の音声データを取得し、当該音声データにおける所定の条件を満たした個所から第１所定時間だけ再生を実行した後に、次曲の音声データに切り替わることを繰り返す。
【００３２】
また、入力部４から再生元選択指示や検索対象指定指示としてサーバＳのＨＤＤ１０が選択された後にスキャン検索指示が入力されると、再生制御部６はデータ取得部３を制御してスキャン検索コマンドをサーバＳに出力する。このスキャン検索コマンドを基にサーバＳは、ＨＤＤ１０に記憶されている音声データに対して所定の条件を満たした個所から第１所定時間だけ再生を実行した後に、次曲の音声データに切り替わることを繰り返す。
【００３３】
そして、入力部４から再生元選択指示や検索対象指定指示として他のネットワークオーディオプレーヤ１Ｂのディスクメディアドライブ２が選択された後にスキャン検索指示が入力されると、再生制御部６はデータ取得部３を制御してスキャン検索コマンドをサーバＳに出力する。このスキャン検索コマンドを基にサーバＳは、他のネットワークオーディオプレーヤ１のディスクメディアドライブ２から読み取られた音声データに対して、所定の条件を満たした個所から第１所定時間だけ再生を実行した後に、次曲の音声データに切り替わることを繰り返す。
【００３４】
なお、サーバＳを介して実行されるスキャン検索時の再生においても、サーバＳは、音声データを再生しながら、本ネットワークオーディオプレーヤ１Ａに出力するストリーミング再生を実行する。
【００３５】
第２所定時間の検出方法として、第２所定時間が予め設定された所定時間経過後である場合は、各音声データに付加されている時間情報を取得し、その時間情報が予め設定された所定時間となるまで音声データを進め、時間情報が予め設定された所定時間となった位置より第1所定時間だけ再生を実行する。
また、第２所定時間が予め設定された所定の出力レベル以上である場合は、各音声データをＤ／Ａ変換用マイコンなどにより出力を検出し、検出した出力が予め設定された所定の出力レベルとなるまで音楽データを進め、出力レベルが予め設定された所定の出力レベルとなった位置より第１所定時間だけ再生を実行する。
【００３６】
次に、本実施形態のネットワークオーディオプレーヤ１Ａで実行される本発明の検索方法について図２，図３のフローチャートを参照に説明する。図２のフローチャートは本ネットワークオーディオプレーヤ１Ａで実行される工程を表していて、図３のフローチャートはサーバＳで実行される工程を表している。
【００３７】
図２に示すようにステップＳ１では、再生制御部６は入力部４から再生元選択指示として予め入力されていた選択先を判断し、本ネットワークオーディオプレーヤ１Ａのディスクメディアドライブ２である場合にはステップＳ２に移行して、サーバＳのＨＤＤ１０である場合にはステップＳ２０に移行して、他のネットワークオーディオプレーヤ１Ｂのディスクメディアドライブ２である場合にはステップＳ３０に移行する。
【００３８】
ステップＳ２では、再生制御部６は、入力部４から検索対象指定指示が入力されているか否かを判断して、選択されていない場合にはステップＳ３に移行して、選択されている場合にはステップＳ４に移行する。
【００３９】
ステップＳ３では、再生制御部６は、本ネットワークオーディオプレーヤ１におけるディスクメディアドライブ２で読み取られた全ての音声データを検索対象として、ステップＳ５に移行する。
ステップＳ４では、再生制御部６は、ステップＳ２で指定されたフォルダ内の全ての音声データを検索対象として、ステップＳ５に移行する。
【００４０】
ステップＳ５では、再生制御部６は、入力部４からスキャン検索条件指定指示が入力されているか否かを判断し、入力されていない場合にはその状態で待機して、入力されている場合にはステップＳ６に移行する。以下、スキャン検索条件として、第２所定時間が入力されている場合について説明する。
【００４１】
ステップＳ６では、再生制御部６は、入力部４からスキャン検索指示が入力されているか否かを判断し、入力されていない場合にはその状態で待機して、入力されている場合にはステップＳ７に移行する（入力工程）。
【００４２】
ステップＳ７では、再生制御部６は、データ取得部３を制御してディスクメディア内の最初の音声データを取得する（データ取得工程）。
ステップＳ８では、再生制御部６は、取得した音声データにおける第２所定時間部分から再生を実行させる（再生工程）。
【００４３】
ステップＳ９では、再生制御部６は、第１所定時間だけ再生されたか否かを判断し、再生されていない場合には再生を継続して、再生されている場合にはステップＳ１０に移行する。
【００４４】
ステップＳ１０では、再生制御部６は再生を停止する。
ステップＳ１１では、再生制御部６は、停止された音声データが検索対象における最終曲であったか否かを判断し、最終曲であった場合には終了して、最終曲でない場合はステップＳ１２に移行する。
ステップＳ１２では、再生制御部６は、データ取得部３を制御してディスクメディア内の次曲の音声データを取得し、ステップＳ８に移行する。これらステップＳ８，Ｓ９，Ｓ１０，Ｓ１１，Ｓ１２が本発明に係るスキャン工程である。
【００４５】
ステップＳ２０では、再生制御部６は、入力部４から検索対象指定指示が入力されているか否かを判断して、選択されていない場合にはステップＳ２１に移行して、選択されている場合にはステップＳ２２に移行する。
【００４６】
ステップＳ２１では、再生制御部６は、サーバＳのＨＤＤ１０内の全ての音声データを検索対象として、ステップＳ２３に移行する。
ステップＳ２２では、再生制御部６は、ステップＳ２０で指定されたフォルダ内の全ての音声データを検索対象として、ステップＳ２３に移行する。
【００４７】
ステップＳ２３では、再生制御部６は、入力部４からスキャン検索条件指定指示が入力されているか否かを判断し、入力されていない場合にはその状態で待機して、入力されている場合にはステップＳ２４に移行する。
【００４８】
ステップＳ２４では、再生制御部６は、サーバＳのＨＤＤ１０に対するスキャン検索コマンドに、検索対象及びスキャン検索条件を付与して、データ取得部３からサーバＳに出力し、終了する。
【００４９】
ステップＳ３０では、再生制御部６は、入力部４から検索対象指定指示が入力されているか否かを判断して、選択されていない場合にはステップＳ３１に移行して、選択されている場合にはステップＳ３２に移行する。
【００５０】
ステップＳ３１では、再生制御部６は、サーバＳのＨＤＤ１０内の全ての音声データを検索対象として、ステップＳ３２に移行する。
ステップＳ３１では、再生制御部６は、ステップＳ３０で指定されたフォルダ内の全ての音声データを検索対象として、ステップＳ３３に移行する。
【００５１】
ステップＳ３３では、再生制御部６は、入力部４からスキャン検索条件指定指示が入力されているか否かを判断し、入力されていない場合にはその状態で待機して、入力されている場合にはステップＳ３４に移行する。
【００５２】
ステップＳ３４では、再生制御部６は、他のネットワークオーディオプレーヤ１Ｂのディスクメディアドライブ２に対するスキャン検索コマンドに、検索対象及びスキャン検索条件を付与して、データ取得部３からサーバＳに出力し、終了する。
【００５３】
サーバＳにスキャン検索コマンドが入力されると、図３に示すようにステップＳ４１では、サーバＳは当該スキャン検索コマンドがサーバＳに対するものか他のネットワークオーディオプレーヤ１Ｂに対するものかを判断し、サーバＳに対するものである場合にはステップＳ４２に移行して、他のネットワークオーディオプレーヤ１Ｂに対するものである場合にはステップＳ４３に移行する。
【００５４】
ステップＳ４２では、サーバＳは、ネットワークオーディオプレーヤ１Ａから入力されたスキャン検索コマンドの検索対象をＨＤＤ１０内の音声データ群から抽出して、ステップＳ４４に移行する。
【００５５】
ステップＳ４３では、サーバＳは、ネットワークオーディオプレーヤ１Ａから入力されたスキャン検索コマンドの検索対象を他のネットワークオーディオプレーヤ１Ｂのディスクメディア内の音声データ群から抽出して、ステップＳ４４に移行する。
【００５６】
ステップＳ４４では、サーバＳは、抽出した音声データ群から最初の音声データを取得する（データ取得工程）。
ステップＳ４５では、サーバＳは、取得した音声データにおける第２所定時間部分から再生を実行させる（再生工程）。
【００５７】
ステップＳ４６では、サーバＳは、第１所定時間だけ再生されたか否かを判断し、再生されていない場合には再生を継続して、再生されている場合にはステップＳ４７に移行する。
【００５８】
ステップＳ４７では、サーバＳは再生を停止する。
ステップＳ４８では、サーバＳは、停止された音声データが検索対象における最終曲であったか否かを判断し、最終曲であった場合には終了して、最終曲でない場合はステップＳ４９に移行する。
ステップＳ４９では、サーバＳは、抽出した音声データ群から次曲の音声データを取得し、ステップＳ４５に移行する。これらステップＳ４５，Ｓ４６，Ｓ４７，Ｓ４８，Ｓ４９が本発明に係るスキャン工程である。
【００５９】
以上のように、本実施形態によれば、スキャン検索時には、音声データにおける所定の条件を満たした個所から所定時間だけ再生が実行された後に次曲の音声データに切り替わり、これが繰り返されるので、スキャン検索前に記憶媒体（ディスクメディア、ＨＤＤ１０）内の全ての音声データを予め記憶させなくても、スキャン検索を実行することが可能となる。そして、スキャン検索時には音声データにおける所定の条件を満たした個所から所定時間だけ再生が実行されるので、予め音量の小さいところを回避するように所定の条件を設定しておけば、冒頭部分の音量が小さい楽曲であってもスキャン検索により容易に特定させることが可能となる。
また、所定の条件が、予め設定された所定時間経過後であるので、冒頭部分がスキャン検索によって再生されてしまうことを確実に回避することができる。
【００６０】
なお、本発明は上記実施形態に限らず適宜変更可能であるのは勿論である。
例えば、本実施形態では、記憶媒体としてディスクメディアやＨＤＤなどを例示していたが、カセットテープなどのテープメディアなどであってもかまわない。
また、出力レベル検出手段を備えたサーバＳやネットワークオーディオプレーヤ１においては、所定の条件を、予め設定された所定の出力レベル（例えば音量等）以上にすることも可能である。これにより、音量の小さい部分がスキャン検索によって再生されてしまうことを確実に回避することができる。なお、出力レベル検出手段が搭載されていないネットワークオーディオプレーヤやサーバであっても、出力レベル検出手段を備えている他のネットワークオーディオプレーヤやサーバで代用することも可能である。
【００６１】
そして、本実施形態では、ネットワークオーディオプレーヤ１やサーバＳ自身がスキャン検索を実行する場合を説明しているが、例えば条件を満たした個所からスキャン検索を実行する機能が搭載されていないサーバやネットワークオーディオプレーヤがネットワークＮに接続されている場合には、スキャン検索機能を有しているネットワークオーディオプレーヤやサーバにより、それらに対して再生コマンド、停止コマンド、サーチコマンドを送信することで、実現することも可能である。例えば条件を満たした個所からスキャン検索を実行する機能が搭載されていないネットワークオーディオプレーヤに対して、当該機能を有するサーバがスキャン検索を制御する場合について説明する。まず、サーバはサーチコマンドをネットワークオーディオプレーヤに送信し、ネットワークオーディオプレーヤのサーチ状況を監視する。監視により所定の条件を満たしたと判断したときは、サーバは再生コマンドをネットワークオーディオプレーヤに送信する。再生後、サーバは第１所定時間経過後するとネットワークオーディオプレーヤに停止コマンドを送信し、次曲に切替させて、再度サーチコマンドを送信する。これを繰り返すことで条件を満たした個所からスキャン検索を実行する機能が搭載されていないネットワークオーディオプレーヤであっても、スキャン検索を実行することが可能となる。
【図面の簡単な説明】
【００６２】
【図１】本実施形態の検索装置としてのネットワークオーディオプレーヤがネットワークによりサーバＳに接続された状態を表すブロック図である。
【図２】本実施形態のネットワークオーディオプレーヤで実行されるスキャン検索の工程を表すフローチャートである。
【図３】本実施形態のネットワークオーディオプレーヤに接続されるサーバで実行されるスキャン検索の工程を表すフローチャートである。
【図４】従来の検索装置で実行されるスキャン検索の工程を表すフローチャートである。
【図５】従来の検索装置で実行されるスキャン検索の工程を表すフローチャートである。
【符号の説明】
【００６３】
１      ネットワークオーディオプレーヤ
２      ディスクメディアドライブ
３      データ取得部
４      入力部
５      表示部
６      再生制御部
７      アンプ
８      スピーカ
１０      ＨＤＤ（記憶媒体）
Ｎ      ネットワーク
Ｓ      サーバ
【図１】
2007226906.tif 000003
【図２】
2007226906.tif 000004
【図３】
2007226906.tif 000005
【図４】
2007226906.tif 000006
【図５】
2007226906.tif 000007
【手続補正書】
【提出日】平成18年6月1日(2006.6.1)
【手続補正１】
【補正対象書類名】特許請求の範囲
【補正対象項目名】全文
【補正方法】変更
【補正の内容】
【特許請求の範囲】
【請求項１】
各種指示が入力される入力部と、
多数の音声データを記憶した記憶媒体から音声データを取得するデータ取得部と、
前記入力部からの入力指示及び条件指定指示に基づいて、前記データ取得部で取得した音声データを再生する再生制御部とを備え、
前記再生制御部は、
前記入力部からスキャン検索指示が入力されると、前記音声データを、前記入力部に入力された前記条件指定指示に基づく所定の条件を満たした個所から所定時間だけ再生を実行した後に、次曲の音声データに切り替わることを繰り返すことを特徴とする検索装置。
【請求項２】
請求項１記載の検索装置において、
前記所定の条件には、予め設定された所定時間経過後であることが含まれていることを特徴とする検索装置。
【請求項３】
請求項１又は２記載の検索装置において、
前記所定の条件には、予め設定された所定の出力レベル以上であることが含まれていることを特徴とする検索装置。
【請求項４】
スキャン検索指示及び条件指定指示が入力される入力工程と、
多数の音声データを記憶した記憶媒体から音声データを取得するデータ取得工程と、
前記データ取得工程で取得した音声データを再生する再生工程と、
前記入力工程で入力されたスキャン検索指示に基づいて、前記音声データを、前記入力工程で入力された条件指定指示に基づく所定の条件を満たした個所から所定時間だけ再生を実行した後に、次曲の音声データに切り替えることを繰り返すスキャン工程を有することを特徴とする検索方法。
【手続補正２】
【補正対象書類名】明細書
【補正対象項目名】００１４
【補正方法】変更
【補正の内容】
【００１４】
請求項１記載の発明における検索装置は、
各種指示が入力される入力部と、
多数の音声データを記憶した記憶媒体から音声データを取得するデータ取得部と、
前記入力部からの入力指示及び条件指定指示に基づいて、前記データ取得部で取得した音声データを再生する再生制御部とを備え、
前記再生制御部は、
前記入力部からスキャン検索指示が入力されると、前記音声データを、前記入力部に入力された所定の条件指定指示に基づく所定の条件を満たした個所から所定時間だけ再生を実行した後に、次曲の音声データに切り替わることを繰り返すことを特徴としている。
【手続補正３】
【補正対象書類名】明細書
【補正対象項目名】００１７
【補正方法】変更
【補正の内容】
【００１７】
請求項４記載の発明における検索方法は、
スキャン検索指示及び条件指定条件が入力される入力工程と、
多数の音声データを記憶した記憶媒体から音声データを取得するデータ取得工程と、
前記データ取得工程で取得した音声データを再生する再生工程と、
前記入力工程で入力されたスキャン検索指示に基づいて、前記音声データを、前記入力工程で入力された条件指示指定条件に基づく所定の条件を満たした個所から所定時間だけ再生を実行した後に、次曲の音声データに切り替えることを繰り返すスキャン工程を有することを特徴としている。
【手続補正４】
【補正対象書類名】明細書
【補正対象項目名】００２６
【補正方法】変更
【補正の内容】
【００２６】
再生制御部６は、ＣＰＵ、ＲＯＭ、ＲＡＭなどから構成されていて、ＣＰＵがＲＯＭ内の制御プログラムを実行することで各部を制御するようになっている。再生制御部６は、データ取得部３で取得した音声データを、入力部４からの入力指示に基づいて再生する。